(57)【特許請求の範囲】
【請求項１】
荷電粒子源と、
試料を載置する試料台と、
対物レンズを含み、前記荷電粒子源から放出された荷電粒子を荷電粒子線として前記試料
に照射する荷電粒子線光学系と、
前記荷電粒子線を照射することにより前記試料から放出される二次粒子のうち前記試料の面に対して小さな角度をなす方向に放出される二次粒子を前記荷電粒子線を前記試料に照射する光軸の周りに配置した磁性材で構成された反射電極に衝突させることにより前記反射電極から発生した二次電子を検出する複数の第1の検出器と、
前記荷電粒子線を照射することにより前記試料から放出される二次粒子のうち前記試料の面に対して大きな角度をなす方向に放出される二次粒子を反射板に衝突させることにより前記反射板から発生する二次電子を検出する第２の検出器と、
前記試料と前記複数の第1の検出器との間に配置されて前記試料から放出された前記二次粒子のうち前記試料の面に対して小さな角度をなす方向に放出される二次粒子の前記複数の第1の検出器における検出方位角を、磁気的に変更する回転手段と、
を有することを特徴とする荷電粒子線装置。
【請求項２】
請求項１記載の荷電粒子線装置において、
前記回転手段は、前記検出方位角を磁気的に変更する手段であり、前記対物レンズと前記
複数の第1の検出器との間に配置されたコイルを含むことを特徴とする荷電粒子線装置。
【請求項３】
請求項２記載の荷電粒子線装置において、
前記回転手段はコイルを内包し、前記荷電粒子線の光軸の方向にギャップを有する磁極が更に配置されていることを特徴とする荷電粒子線装置。
【請求項４】
請求項１記載の荷電粒子線装置において、
前記複数の第1の検出器は、前記荷電粒子線の光軸に対して軸対称となるように配置されていることを特徴とする荷電粒子線装置。
【請求項５】
請求項１記載の荷電粒子線装置において、
前記対物レンズは、上側磁極と下側磁極とを有し、
前記上側磁極は、前記試料から放出された前記二次粒子を前記複数の第1の検出器の方向へ加速する電極を兼ねていることを特徴とする荷電粒子線装置。
【請求項６】
請求項１記載の荷電粒子線装置において、
前記複数の第1の検出器は、複数に分割された環状検出器であることを特徴とする荷電粒子線装置。
【請求項７】
荷電粒子源と、
試料を載置する試料台と、
前記荷電粒子源から放出された荷電粒子を荷電粒子線として前記試料に照射する荷電粒子
線光学系と、
前記荷電粒子線の光軸に対して対称な位置に配置され、前記荷電粒子線を照射することに
より前記試料から放出される二次粒子のうち前記試料の面に対して小さな角度をなす方向に放出される二次粒子を前記荷電粒子線を前記試料に照射する光軸の周りに配置した磁性材で構成された反射電極に衝突させることにより前記反射電極から発生した二次電子を検出する複数の第1の検出器と、
前記荷電粒子線を照射することにより前記試料から放出される二次粒子のうち前記試料の面に対して大きな角度をなす方向に放出される二次粒子を反射板に衝突させることにより前記反射板から発生する二次電子を検出する第２の検出器と、
前記試料と前記複数の第1の検出器との間に配置されて前記試料から放出された前記二次粒子の前記複数の第1の検出器における検出方位角を変更する回転手段と、
前記複数の第1の検出器で検出する前記二次粒子の方位角の回転角度の指定を行う画面を表示するモニタに接続され、前記各構成要素を制御する制御部と、
を有することを特徴とする荷電粒子線装置。
【請求項８】
請求項７記載の荷電粒子線装置において、
前記制御部に接続され、前記モニタから指定された前記回転角度に基づいて前記回転手段
を制御するためのデータが保存された制御テーブルが更に配置されていることを特徴とす
る荷電粒子線装置。
【発明の詳細な説明】
【技術分野】
【０００１】
本発明は、荷電粒子線装置に関する。
【背景技術】
【０００２】
荷電粒子線装置の一つである走査電子顕微鏡は、加熱型または電界放出型の電子源から放出された電子を加速し、静電レンズ、あるいは磁界レンズを用いて細い電子ビーム（一次電子線）とし、観察する試料上に一次電子線を二次元走査し、一次電子線の照射によって試料から二次的に発生する二次電子あるいは後方散乱電子（反射電子）等の二次粒子を検出し、検出された信号強度を一次電子線の走査と同期して走査されるブラウン管等の表示装置の輝度変調入力とすることで二次元の走査像を得る装置である。
【０００３】
半導体デバイスの製造プロセスにおいて、歩留まりの向上と製造プロセスの安定稼働を実現するためには、製造プロセスの不具合により発生する欠陥の発生状況をインラインで観察し，原因を解明して製造プロセスにフィードバックすることが必要となっている。微小欠陥の観察はプロセス管理で求められる主要技術の一つであり，これまで光学顕微鏡を用いて評価されてきた。しかし、昨今の半導体デバイスのパターンサイズの微細化に伴い、デバイス特性に悪影響を及ぼす欠陥サイズも微細化しており、走査電子顕微鏡による評価が重要となってきている。このため、高分解能で欠陥のレビューが可能な走査電子顕微鏡が製品化されている。この装置では、微小異物やスクラッチ等の凹凸を検出するために、横から光を照射したときに生ずる陰影と等価な走査電子顕微鏡像の陰影像の取得が重要となっている。
【０００４】
走査電子顕微鏡を用いて陰影像を取得するための基本原理について図２Ａ、図２Ｂを用いて説明する。ここでは、試料の窪みを例として、電子線を走査したときに左右に設置した検出器で得られる信号プロファイルがどのように変わるか説明する。図２Ａでは窪みの左側に検出器３３が設置されている。一次電子線３２を走査すると、検出器３３の方向に放出された二次電子３４が検出される。しかし、窪み内の左側では一部の二次電子３５が検出器３３に到達する前に窪み壁面に衝突するため、検出されない。この時に得られる信号プロファイル３６は窪みの左側は暗く、右側は明るく観察される。一方、窪みの右側に検出器３７が設置されている場合、検出器３７の方向に放出された二次電子３８が検出されるものの、窪み内の右側で発生した一部の二次電子３９は窪み壁面に衝突するため検出されない。この時に得られる信号プロファイル４０は、前述とは反対に、窪みの右側は暗く、左側は明るく観察される。したがって、観察対象が凹んでいる場合は、観察対象の検出器側が暗くなり、反対側が明るくなる。一方、観察対象が出っ張っている場合は、観察対象の検出器側が明るくなり、反対側が暗くなる。このように、検出器の配置と信号プロファイルの明暗の関係を調べることで、観察対象の試料形状が出っ張っているのか凹んでいるのかを判別することが可能となる。
【０００５】
検出器は１個であっても、その検出器を用いて形成される二次電子像に現れる明暗から試料の一方向についての凹凸情報が得られるが、検出器を光軸に対して軸対称に一対配置することで、より正確に試料の一方向についての凹凸情報を得ることができる。さらに、光軸に対して軸対称に複数対の検出器を配置すると、試料表面の凹凸情報を複数方向から得ることが可能となる。
【０００６】
このような原理をもとに、試料の凹凸情報を得る技術が、特許文献１および特許文献２に開示されている。特許文献１では、高分解能を達成するために磁界漏洩型対物レンズを使用し、対物レンズの電子源側に検出器を配置し、試料と対物レンズの間の電界を制御することで、試料面に対して小さな角度をなす方向に放出された反射電子を検出し、試料の凹凸判定を行っている。特許文献２では、環状の検出器を用い、内側環状帯で反射電子、外側環状帯で二次電子を検出している。そして、外側環状帯を扇形に四分割して二次電子放出の方位角を選別することで陰影像を得、試料片の表面形状と材料の特徴を測定している。特許文献３は観察対象の三次元形状を定量的に解析する技術に関し、四個の独立した検出器を光軸に対して軸対称に設置し、各検出器で得られた信号プロファイルを組み合わせて解析することにより、ラインパターンのエッジの幅及び傾斜角を測定している。
【先行技術文献】
【特許文献】
【０００７】
【特許文献１】特開２００１−１１０３５１号公報
【特許文献２】特開平８−２７３５６９号公報
【特許文献３】特開２０１３−２８７２号公報
【発明の概要】
【発明が解決しようとする課題】
【０００８】
上記従来技術により、走査電子顕微鏡においても光学顕微鏡と同じように陰影像を取得できるようになり、欠陥の凹凸判定やパターンの形状計測ができるようになった。
【０００９】
しかしながら、上記従来技術では各検出器で検出される電子の方位角成分は固定されているため、観察対象となる欠陥形状が変わったときに、現行の検出器の配置が観察に最適な条件ではなくなる場合がある。図３Ａ、図３Ｂに、一次電子線の光軸に軸対称に二台の検出器が配置された例を示す。図３Ａに示すように、縦方向に形成されたパターン４１を高精度で観察するには、パターンに垂直となるように検出器４２ａ、４２ｂを配置することが最適となる。しかし、図３Ｂに示すように、傾いたライン４３の場合には、４２ａ、４２ｂの配置よりも、ラインに垂直となるように検出器４４ａ、４４ｂを配置する方がより強調された陰影像を得ることができる。このように、パターンごとに最適な検出器の配置、すなわち検出する方位角成分が異なりうる。
【００１０】
そこで、発明者等は検出器を増やした場合について検討を行った。しかしながら、検出器を増やしてもパターンにより好適な検出器配置が異なることが判った。例えば、四台の検出器４５ａ〜４５ｄが一次電子の光軸に対して均等に配置された走査電子顕微鏡について、以下に示す二つのパターンを例として最適な検出器配置を図４Ａ、図４Ｂに示す。図４Ａは半導体のリソグラフィ工程で作製されたラインパターン、図４Ｂは半導体前工程の配線形成工程で作製されたＶｉａ  ｉｎ  Ｔｒｅｎｃｈパターン（以下、ＶＩＴパターンという）である。図４Ａは特許文献３に記載されている検出器配置である。ラインパターンでは、パターンに垂直な成分をなるべく多く検出することが高精度な計測に必要となる。パターンの左側のエッジに対しては、左下検出器４５ａと左上検出器４５ｂで得られる信号を合成して得た左画像を用い、一方、パターンの右側のエッジに対しては、右上検出器４５ｃと右下検出器４５ｄで得られる信号を合成して得た右画像を用いることで、パターンの形状の高精度な計測が可能となる。パターンが横向きである場合は、左上検出器４５ｂと右上検出器４５ｃで得られる信号を合成して得た上画像と、左下検出器４５ａと右下検出器４５ｄで得られる信号を合成して得た下画像を用いて計測する。しかしながらこの構成は、溝の中に作製された穴の形状が観察対象の一つであるＶＩＴパターンに対しては最適な配置とはいえない。
【００１１】
一方、ＶＩＴパターンに対しては、図４Ｂに示す検出器配置が好適となることが判った。すなわち、検出器４６ｂ、４６ｄをトレンチの延在方向（紙面上下）に、それに直交する方向（紙面左右）に検出器４６ａ、４６ｃをそれぞれ配置し、上側検出器４６ｂと下側検出器４６ｄを用いることにより、溝の中から放出された電子を効率よく検出することが可能となり、溝の中の穴を高精度に計測することができる。但し、図４Ｂに示す検出器配置では、ラインパターンの左エッジ計測には検出器４６ａ、右エッジ計測には検出器４６ｃしか用いることができず、得られる信号量は図４Ａでの検出器配置の半分となり、Ｓ／Ｎが低下するため、ラインパターンに対しては好適な配置とはならない。
【００１２】
このように、計測ターゲットごとに最適な検出器の配置が異なるのに対し、従来技術では検出器の配置、すなわち検出する方位角成分が固定されていたため、各種評価パターンに対して必ずしも最適な評価ができていなかったものと考えられる。
【００１３】
本発明は上記課題に鑑みてなされたものであり、本発明の目的は、ＶＩＴパターン及びラインパターンの観察・評価の両立が可能な荷電粒子線装置を提供することにある。
【課題を解決するための手段】
【００１４】
上記目的を達成するための一実施形態として、荷電粒子源と、
試料を載置する試料台と、
対物レンズを含み、前記荷電粒子源から放出された荷電粒子を荷電粒子線として前記試料に照射する荷電粒子線光学系と、
前記荷電粒子線を照射することにより前記試料から放出される二次粒子を検出する複数の検出器と、
前記試料から放出された前記二次粒子の前記検出器における検出方位角を、磁気的、電気的或いは機械的に変更する回転手段と、
を有することを特徴とする荷電粒子線装置とする。
【００１５】
また、他の実施形態として、荷電粒子源と、
試料を載置する試料台と、
前記荷電粒子源から放出された荷電粒子を荷電粒子線として前記試料に照射する荷電粒子線光学系と、
前記荷電粒子線の光軸に対して対称な位置に配置され、前記荷電粒子線を照射することにより前記試料から放出される二次粒子を検出する複数の検出器と、
前記試料から放出された前記二次粒子の前記検出器における検出方位角を変更する回転手段と、
前記二次粒子の検出角度の指定を行う画面を表示するモニタに接続され、前記各構成要素を制御する制御部と、
を有することを特徴とする荷電粒子線装置とする。
【発明の効果】
【００１６】
本発明によれば、ＶＩＴパターン及びラインパターンの観察・評価の両立が可能な荷電粒子線装置を提供することができる。
【図面の簡単な説明】
【００１７】
【図１】第一の実施例に係る走査電子顕微鏡の概略構成断面図(一部ブロック図)である。
【図２Ａ】走査電子顕微鏡による陰影像の形成原理を説明するための図の一例である。
【図２Ｂ】走査電子顕微鏡による陰影像の形成原理を説明するための図の他の例である。
【図３Ａ】垂直ラインパターンにおける二台の検出器の最適配置の例である。
【図３Ｂ】傾斜ラインパターンにおける二台の検出器の最適配置の例である。
【図４Ａ】四台の検出器を用いた場合のラインパターンにおける検出器の最適配置の例である。
【図４Ｂ】四台の検出器を用いた場合のＶＩＴパターンにおける検出器の最適配置の例である。
【図５】図１に示す走査電子顕微鏡において、対物レンズの一部の磁路を加速電極として使用した例を示す概略要部断面図（一部ブロック図）である。
【図６Ａ】従来の検出器へ向かう２次粒子の軌道の一例を示す上面図である。
【図６Ｂ】従来の検出アクセプタンスの例である。
【図６Ｃ】図１に示す走査電子顕微鏡における検出器へ向かう２次粒子の軌道の一例を示す上面図である。
【図６Ｄ】図１に示す走査電子顕微鏡における検出アクセプタンスの例である。
【図７】図１に示す走査電子顕微鏡において、一次電子線の光軸とコイルの間に磁気シールドを配置した例を示す概略要部断面図（一部ブロック図）である。
【図８】図１に示す走査電子顕微鏡において、反射板を設置して、二次粒子が反射板に衝突することで発生した二次粒子を検出する例を示す概略要部断面図（一部ブロック図）である。
【図９】第一の実施例に係る走査電子顕微鏡を用いて、方位角の回転角度を指定するＧＵＩの一例を示す図である。
【図１０】第一の実施例に係る走査電子顕微鏡を用いて、方位角の回転角度を指定して画像を取得するフローチャートである。
【図１１】図１に示す走査電子顕微鏡において、切り欠きをもつ磁極でコイルを覆った例を示す概略要部断面図（一部ブロック図）である。
【図１２Ａ】第一の実施例に係る走査電子顕微鏡において、四台の検出器を配置し、検出器の間に電極を配置したときの二次電子の軌道の一例を示す上面図である。
【図１２Ｂ】第一の実施例に係る走査電子顕微鏡において、四台の検出器を配置し、検出器の間に電極を配置したときの検出アクセプタンスの例である。
【図１３】第二の実施例に係る走査電子顕微鏡の概略要部断面図(一部ブロック図)である。
【図１４】第二の実施例係る走査電子顕微鏡における回転制御電極の形状の一例を示す平面図である。
【図１５】第三の実施例に係る走査電子顕微鏡の概略要部断面図(一部ブロック図)である。
【図１６】第四の実施例に係る走査電子顕微鏡の概略要部断面図(一部ブロック図)である。
【発明を実施するための形態】
【００１８】
以下、本発明の実施例について、図を用いて説明する。なお、実施例では電子顕微鏡を例に説明するが、イオン顕微鏡等への適用も可能である。また、図２Ａ、図２Ｂ以降の図において、図１と同じ機能部分には図１と同じ番号を付し、重複する説明を省略する。
【実施例１】
【００１９】
図１は本発明の第１の実施例に係る走査電子顕微鏡の概略図である。本実施例では、半導体ウエハなどの大型試料に対して、ウエハに形成されたパターンの測長、形成されたパターン上の欠陥や異物の検査を行うことを目的とし、一次電子線のエネルギーを数１０ｅＶから数ｋｅＶの低入射エネルギーとした場合の構成を用いている。ただし、本実施例と同様に複数の検出器を備えた電子顕微鏡であれば対象としている試料や目的、入射エネルギーが大きくても適用が可能である。
【００２０】
装置内の電圧や電流の設定は制御テーブル３１に保存された条件を装置全体の制御演算装置２８が読み出し、符号２１から２７の各制御部を用いて行う。オペレータが測定条件を変更するように指示した場合には自動で制御テーブル３１を読み出し、制御パラメータの変更を行う。なお、符号２１は電子銃制御部、符号２２は集束レンズ制御部、符号２３は走査偏向器制御部、符号２４はコイル制御部、符号２５は対物レンズ制御部、符号２６は加速電極制御部、符号２７は試料ホルダ制御部を示す。
【００２１】
電界放出陰極１０１と引出電極１０２の間に引出電圧を印加すると、放出電子（一次電子線）１０３が放出される。放出電子１０３は引出電極１０２と接地電位にある陽極１０４の間でさらに加速される。陽極１０４を通過した電子ビームのエネルギーは電子銃（電界放出陰極１０１と引出電極１０２とを含む）の加速電圧と一致する。陽極１０４を通過した一次電子ビームは集束レンズ１０５で集束され、上走査偏向器１０９、下走査偏向器１１０で走査偏向を受けた後、対物レンズ１７で試料上に細く絞られる。対物レンズ１７は対物レンズコイル１４と上側磁極１５と下側磁極１６から構成され、対物レンズコイル１４で発生した磁界を上下磁極のギャップから漏洩させて光軸上に集中させ、電子ビーム１０３を収束させる。磁界レンズの強度は対物レンズコイル１４の電流量を変化させることで調整する。試料ホルダ１９には負の電圧が印加されている。対物レンズ１７を通過した一次電子ビームは、対物レンズ１７と試料１８の間に作られた減速電界で減速され、試料１８に到達する。この構成では、対物レンズ１７を通過するときの一次電子のエネルギーは試料１８に入射するエネルギーよりも高くなっている。この結果、最終的なエネルギーの一次電子ビームを対物レンズ１７に通す場合に比較すると、対物レンズ１７での色収差が減少し、より細い電子ビームが得られて高い分解能を達成する。
【００２２】
対物レンズ１７の一次電子ビームの開き角は集束レンズ１０５の下方に置かれた絞り１０６で決められる。絞り１０６のセンタリングは調整つまみ１０７で行う。図では機械的な調節を行っているが、絞り１０６の前後に静電偏向器または磁界偏向器を設け、電子ビームを偏向させて調整してもよい。電子ビームは上走査偏向器１０９と下走査偏向器１１０で試料上を走査されるが、このとき上走査偏向器１０９と下走査偏向器１１０の偏向方向と強度は走査した電子ビームが常に対物レンズ１７の中央を通るように調整されている。
【００２３】
一次電子線１０３が試料１８に照射されると、二次粒子２０ａと２０ｂが発生する。二次粒子は広いエネルギー分布を有する。試料に入射した一次電子が固体表面の原子により弾性散乱され、試料表面から放出される電子がある。これは反射電子と呼ばれ、一次電子線と同等、あるいはある程度高いエネルギーを有する。一方、試料に入射した一次電子が試料内の原子と相互作用し、試料内の電子が励起されて運動エネルギーを得て外部に放出される電子がある。これは二次電子と呼ばれ、一般的に０ｅＶから５０ｅＶ程度までの範囲のエネルギーを有する。以下、本実施例では二次電子と反射電子を総称して二次粒子と呼ぶ。
【００２４】
対物レンズ１７と試料１８の間に作られた一次電子線１０３に対する減速電界は、試料１８で発生した二次粒子２０ａと２０ｂに対しては加速電界として働き、対物レンズ１７の通路内に吸引され、加速電極１３による加速電界と対物レンズ１７の磁界でレンズ作用を受けながら装置の上方に昇っていく。レンズ磁界により二次粒子はエネルギーに依存した回転を生じるが、対物レンズ１７と試料１８の間に作られた加速電界により高速にレンズ磁界内を通過させることで、エネルギーによる回転角の差を低減させ、検出器において試料での方位角情報を保存している。
【００２５】
ここで、加速電極１３は特別に電極を設置せず、図５に示すように対物レンズ１７の上側磁極１５を加速電極１３ａとして使用し、加速電極１３ａに独立して電圧を印加してもよい。なお、加速電極１３ａのみに電圧を印加するため、空間を空けるか絶縁体を間に挟むことで下側磁極１６と絶縁する。
【００２６】
加速された二次粒子２０ａと２０ｂのうち、試料１８の面に対して小さな角度をなす方向に放出した二次粒子２０ａは、光軸から離れる方向に放出された後に対物レンズ１７の漏洩磁場によって光軸側に引き戻され、対物レンズ１７を通過して光軸から離れた位置に配置された検出器１１ａと１１ｂにより検出される。図では検出器は一次電子線の光軸に対して軸対称に二台設置しているが、複数台設置してもよい。一方、試料１８の面に対して大きな角度をなす方向に放出した二次粒子２０ｂは、一次電子線１０３とほぼ同じ軌道を通るため、検出器１１ａと１１ｂでは検出できず、反射板１０８に衝突する。反射板では二次粒子２０ｂの衝突によって再び二次粒子２０ｃが発生する。発生した二次粒子２０ｃは、反射板１０８よりも試料側に配置された検出器１１ｃで検出される。なお、反射板１０８の代わりにマイクロチャンネルプレートや半導体検出器を用いて直接二次粒子を検出してもよい。検出器１１ｃに到達した二次粒子は、輝度変調入力信号となり画像として構成され、モニタ３０に表示されて記録装置２９に保存される。
【００２７】
検出器１１ａと１１ｂで検出される仰角成分は、検出器１１ａと１１ｂの設置位置、試料ホルダ１９に印加する電圧、加速電極１３の電圧、加速電圧を調整することによって制御される。検出器１１ａと１１ｂにて検出された試料像は、図２Ａ、図２Ｂに示したように試料１８の凹凸に応じて明暗の陰影がついた像となる。
【００２８】
本実施例に係る走査電子顕微鏡の特徴は、対物レンズ１７と検出器１１ａと１１ｂの間に設置したコイル１２である。この機能について図６Ａ乃至図６Ｄを用いて説明する。図６Ａ、図６Ｃは電子源側から見た配置であり、機能を説明しやすいように検出器と二次粒子の軌道のみを記載している。ここでは、光軸に軸対称に四台の検出器４７ａ〜４７ｄをＸ軸およびＹ軸から４５°傾けて設置している。試料から放出された二次粒子は対物レンズ１７の磁界によってローレンツ力を受けて回転するが、本説明では考慮しない。また、Ｘ軸からの傾きを方位角θ、Ｚ軸からの傾きを仰角φと定義する。
【００２９】
まずは、本実施例の特徴であるコイル１２を設置しない場合の二次粒子の軌道と検出アクセプタンスを図６Ａと図６Ｂに示す。検出器４７ａ〜４７ｄでは、４５度、１３５度、２２５度、３１５度方向に向かった二次粒子４８ａ〜４８ｄを検出する。試料から放出された二次粒子は、方位角方向の全方位に広がっており、一台の検出器で検出できる方位角の範囲は、検出器周りの電界によって決まる。ここで、一台の検出器で９０°分の範囲の方位角を検出でき、四台の検出器で全ての方位角成分を検出できると仮定すると、検出アクセプタンスは図６Ｂのようになる。検出器４７ａでは４５°±４５°、検出器４７ｂでは１３５°±４５°、検出器４７ｃでは２２５°±４５°、検出器４７ｄでは３１５°±４５°の二次粒子を検出している。０度からα度の仰角成分は、試料１８の面に対して大きな角度をなす方向に放出した二次粒子２０ｂに該当し、検出器４７ａ〜４７ｄでは検出されない成分である。また、β度から９０度の仰角成分は、試料１８の面に対して特に小さな角度をなす方向に放出した二次粒子に該当し、試料や対物レンズへの衝突により検出器４７ａ〜４７ｄでは検出されない成分である。
【００３０】
次に、本実施例の特徴であるコイル１２を設置し、二次粒子が４５度回転するようにコイルに直流電流を流した場合の二次粒子の軌道と検出アクセプタンスを図６Ｃと図６Ｄに示す。ここでは、反時計回りに直流電流を流し、紙面の奥から手前に向かって磁界を発生させている。検出器４７ａ〜４７ｄでは、０度、９０度、１８０度、２７０度方向に向かった二次粒子４９ａ〜４９ｄを検出する。四台の検出器で全ての方位角成分を検出できると仮定すると、検出アクセプタンスは図６Ｄとなる。検出器４７ａでは０°±４５°、検出器４７ｂでは９０°±４５°、検出器４７ｃでは１８０°±４５°、検出器４７ｄでは２７０°±４５°の二次粒子を検出し、コイル１２の設置前に較べて各検出器で検出される方位角成分を４５度回転させることができる。この検出器配置は図４Ａに示すラインパターンに最適な検出器配置であるが、コイル１２に直流電流を流して磁場を発生させることで、図４Ｂに示すＶＩＴパターンに最適な検出器配置と同等の機能を得ることができる。ここでは、二次粒子が４５度回転する場合の結果を述べたが、コイル１２に流す直流電流の向きや大きさを調整することで、二次粒子を回転させる方向や大きさを制御でき、様々な観察対象に対して最適な条件での観察が可能となる。これにより、ＶＩＴパターン、及びラインパターンの観察が両立可能なだけでなく、任意の方位角の二次粒子を検出することができる。例えば、ランダムな方向を有するスクラッチ等の観察も可能となる。なお、このとき発生する磁場は二次粒子を回転させる効果をもつが、同時に一次電子ビームを回転させる。したがって、回転角度を変える、すなわちコイル１２に流す直流電流の向きや大きさを変えるときは一次電子ビームの偏向の回転や倍率を連動させて回転させない場合と同じビーム条件となるように補正する。
【００３１】
図７は本実施例の他の例を示す概略図である。電界放出陰極１０１から下走査偏向器１１０までの構成は図１と同じであるため、図７には検出器１１ａと１１ｂより下方の構成を記載した。コイル１２で発生した磁界は、磁極を設けていないため一次電子線１０３の光軸まで広がっており、一次電子線１０３の特性や軌道を変化させる。この影響をなるべく小さくするために、図７に示すように光軸とコイル１２の間に磁性材で作製された磁気シールド５０を配置し、磁界の光軸への漏れ出しを抑制する。
【００３２】
図８は本実施例の他の例を示す概略図である。電界放出陰極１０１から下走査偏向器１１０までの構成は図１と同じであるため、図８には検出器１１ａと１１ｂより下方の構成を記載した。検出器１１ａと１１ｂで検出される二次粒子２０ａの放出仰角は、加速電圧や加速電極１３の電圧、試料ホルダ１９の電圧に依存する。これらの電圧が大きくなると、二次粒子の光軸からの広がりは小さくなり、試料１８の面に対して大きな角度をなす方向に放出した二次粒子２０ｂの軌道に近づく。分解能を向上させるためにこれらの電圧を大きくする必要がある場合は、新たに反射電極５１を設置し、二次粒子２０ａを反射電極５１に衝突させて新たな二次粒子２０ｄを発生させる。検出器１１ａと１１ｂの前面に＋１０ｋＶ程度の高電圧を印加して二次粒子２０ｄを引き込むことで、二次粒子２０ｄの検出効率を向上させることができる。なお、反射電極５１は磁性材で作製し、コイル１２で発生した磁界の光軸への漏れを抑制するために、磁性材で構成して図７で記載した磁気シールド５０と同等の効果を持たせてもよい。
【００３３】
装置のオペレータが二次粒子の検出角度の指定を行うＧＵＩ（Ｇｒａｐｈｉｃａｌ  Ｕｓｅｒ  Ｉｎｔｅｒｆａｃｅ）の一例を図９に、このＧＵＩを用いて指定した分だけ方位角を回転させて画像取得するフローチャートを図１０に示す。ここでは、四台の検出器を軸対称に設置した場合のＧＵＩの例を示す。ＧＵＩはモニタ３０に表示され、オペレータがモニタ上で操作を行う。４台の検出器から出力される陰影像５２ａ〜５２ｄが、ＧＵＩ画面上に表示されている。陰影像５２ａ、５２ｂ、５２ｃ、５２ｄはそれぞれ図６Ｃの検出器４７ｂ、４７ａ、４７ｄ、４７ｃに相当する。方位角の回転角は−９０°から＋９０°まで可変であり、回転角はスライダー５３を用いて指定してもよいし、角度指定ボックス５４内で直接指定してもよい。図中の陰影像はホールパターンを示し、回転角度が反時計回りに４５°であるときの各検出器の陰影像を示している。
【００３４】
まず、オペレータが図９のＧＵＩ上で所望の回転となるように、スライダー５３、あるいは角度指定ボックス５４を用いて回転角度を指定する（Ｓ１００１）。次に、装置が自動でこの回転角を満たすコイル１２の電流量を制御テーブル３１から自動で選択し（Ｓ１００２）、コイル制御部２４でコイル１２に流す電流量の向きや大きさを調整する（Ｓ１００３）。加速電圧、加速電極１３、試料ホルダ１９の電圧条件ごとの回転角度とコイル１２の電流量の関係は、制御テーブル３１にあらかじめ保存しておく。この関係は電磁界計算と電子の軌道計算を用いたシミュレーション結果をもとに作成しても良いし、実験結果をもとに作成しても良い。最後に、検出方位角が回転した画像を取得する（Ｓ１００４）。これにより、試料の形状に応じて検出する二次粒子の方位角を任意に選択して画像を得ることが可能である。
【００３５】
図１１は本実施例の他の例を示す概略図である。電界放出陰極１０１から下偏向器１０までの構成は図１と同じであるため、図１１には検出器１１ａと１１ｂより下方の構成を記載した。図１と全体の構成は同じであるが、コイル１２が光軸に向いた位置にギャップをもつ磁極５５で覆われている。コイル１２に電流を流して発生した磁力線はギャップから空間に漏れ出し、回転対称な磁界を作る。コイル１２が磁極で覆われない構造に較べ、磁力線がギャップから集中して漏れ出すため、少ない電流量で狭い範囲に大きな磁界を発生させることができる。大きな磁界ほど二次粒子を大きく回転させることができるため、コイル１２単体で使用する場合に較べて大きな効果が得られる。しかし、図１１のように磁極を設けると、磁界が強くなり二次粒子の回転作用を大きくすることができるが、同時に一次電子線に対する回転作用も大きくなる。この場合、図７に示すような磁気シールド５０を磁極５５と光軸の間に設け、光軸への磁場の漏れを減らすことにより一次電子線に対する回転作用を抑制することができる。
【００３６】
図１２Ａは、本走査電子顕微鏡において、四台の検出器を配置し、検出器の間に電極を配置したときの二次電子の軌道の一例を示す上面図である。また、図１２Ｂは本構成で得られる検出アクセプタンスである。図１２Ａは電子源側から見た配置である。検出器４７ａ〜４７ｄは光軸に軸対称に四台設置されており、各検出器の間に電極５６が設置されている。電極５６と検出器４７ａ〜４７ｄが形成する電場は、試料から放出された二次粒子の方位角方向に作用する。したがって、電極５６に印加する電圧を制御することで、隣接する検出器間に飛行する二次粒子を、検出器方向に偏向させたり、検出器から遠ざかる方向に偏向させることができる。図６Ｂと図６Ｄに示すように、全ての方位角成分を検出できるように装置が設計されている場合は、電極５６に正の電圧を印加することで、二次粒子を検出器から遠ざかる方向に偏向し、一台の検出器で検出できる方位角を制限するように使用することができる。一方、装置の設計上、一台の検出器で９０°成分を検出できない場合は、電極５６に負の電圧を印加して二次粒子を検出器に向かう方向に偏向し、一台の検出器で検出できる方位角を広げるように使用することができる。また、正の電圧を印加することで、検出できる方位角をさらに制限するように使用してもよい。
【００３７】
このように、検出器間に電極を設置することで、一台の検出器で検出できる方位角を制御できるようになった。一台の検出器で検出できる方位角成分をθＡ°±θＢ°と記述すると、電極５６ではθＢの大きさを制御することになる。本実施例の特徴である回転手段（コイル１２及びコイル制御部２４）はθＡを制御しており、回転手段と電極５６の組み合わせにより、検出できる方位角の中心角および幅を任意に設定することができ、観察対象に応じてこれらを制御することで、高精度な観察が可能となる。ここで、図１２Ａでは軸対称に四台の検出器を配置した例を示したが、四台より多くても少なくてもよい。電極５６に該当する電極は検出器と同数個配置してもよいし、多くても少なくてもよい。また、このとき、電極に印加する電圧は、全て同一の電圧を印加してもよいし、各々で変えても良い。もし、同一の電圧を印加する場合は、一体化した電極としてもよい。
【００３８】
以上、本実施例によれば、ＶＩＴパターン及びラインパターンの観察・評価の両立が可能な荷電粒子線装置を提供することができる。また、試料の形状に応じて検出する二次粒子の方位角を任意に選択して画像を得ることが可能である。また、二次粒子の加速電極として対物レンズの上側磁極を用いることにより新たな加速電極の設置を省くことができる。また、光軸とコイル１２との間に磁気シールドを配置することにより、コイル１２の磁界の光軸への漏れ出しを抑制することができる。また、試料面に対して小さな角度をなす方向に放出された二次粒子の衝突により新たな二次粒子を発生させるための反射板を配置することにより二次粒子の検出効率を向上させることができる。また、光軸に向いた位置にギャップを有しコイル１２を覆う磁極を配置することにより、二次粒子を大きく回転させることができる。また、検出器の間に電極を配置することにより、一台の検出器で検出できる二次粒子の方位角を制限、或いは広げることができる。
【実施例２】
【００３９】
第２の実施例について図１３と図１４を用いて説明する。なお、実施例１に記載され本実施例に未記載の事項は特段の事情がない限り、本実施例にも適用することができる。
【００４０】
実施例１では磁界により二次粒子を回転させる例について説明したが、本実施例では電界により二次粒子を回転させる例について説明する。図１３は本実施例に係る走査電子顕微鏡の概略図である。電界放出陰極１０１から下走査偏向器１１０までの構成は図１と同じであるため、図１３には検出器１１ａと１１ｂより下方の構成を記載した。一次電子線１０３の照射により試料１８から放出された二次粒子は、対物レンズ１７と試料１８の間に作られた加速電界により対物レンズ１７の通路内に吸引され、加速電極１３による加速電界と対物レンズ１７の磁界でレンズ作用を受けながら装置の上方に昇っていく。対物レンズ１７の上方には、回転制御電極５８が設置されている。回転制御電極５８に電圧を印加することで回転して昇ってきた二次粒子の軌道を変化させ、各検出器で検出される方位角を変化させる。回転制御電極５８は、例えば図１４に示すように、スクリュー型の構造を持ち、一次電子線１０３が通過するための中心穴６０と二次粒子を通過させるためのメッシュ（網目）６１を備えている。メッシュ６１はスクリューの羽根の領域に等電位を与えるために使用しているが、等電位が必要でない場合は設けなくてもよい。また、光軸と回転制御電極５８との間にシールド電極５７を設けており、回転制御電極５８で形成される電界の光軸への漏れ出しを抑え、一次電子線への影響を低減している。
【００４１】
回転制御電極制御部５９は、二次粒子に対して所望の回転量を得るために必要な電圧を制御テーブル３１から読み出し、回転制御電極５８に印加する機能を持つ。加速電圧、加速電極１３、試料ホルダ１９の電圧条件ごとの回転角度と回転制御電極５８の電圧の関係は、制御テーブル３１にあらかじめ保存しておく。この関係は電磁界計算と電子の軌道計算を用いたシミュレーション結果をもとに作成しても良いし、実験結果をもとに作成しても良い。
【００４２】
本実施例では、四台の検出器を配置した場合の回転制御電極５８の構造として、４枚の羽根をもつスクリュー型をあげたが、検出器の台数に合わせて羽根の枚数を変えることができる。例えば、二台の検出器を用いた場合には、２枚の羽根をもつスクリュー型の回転制御電極５８を配置する。なお、本実施例では電界で二次粒子を回転させるためにスクリュー型の回転制御電極５８をあげたが、二次粒子を回転させることができれば他の電極形状でもよい。
【００４３】
以上、本実施例においても、ＶＩＴパターン及びラインパターンの観察・評価の両立が可能な荷電粒子線装置を提供することができる。また、試料の形状に応じて検出する二次粒子の方位角を任意に選択して画像を得ることが可能である。また、光軸と回転制御電極５８との間にシールド電極を配置することにより、回転制御電極５８の電界の光軸への漏れ出しを抑制することができる。
【実施例３】
【００４４】
第３の実施例について図１５を用いて説明する。なお、実施例１又は２に記載され本実施例に未記載の事項は本実施例にも適用することができる。
【００４５】
実施例１および実施例２では、試料１８から放出された二次粒子２０ａを、磁界または電界を用いて回転させて検出器１１ａと１１ｂで検出する例について説明した。本実施例では検出器１１ａと１１ｂ、あるいは試料ホルダ１９を光軸に対して機械的に回転させることで、検出される二次粒子の方位角を回転させる例について説明する。図１５は本実施例に係る走査電子顕微鏡の概略図である。電界放出陰極１０１から下走査偏向器１１０までの構成は図１と同じであるため、図１５にはこれらの構造の記載は省略した。
【００４６】
実施例１および実施例２で説明した構成では、検出器１１ａと１１ｂや試料ホルダ１９は固定されている。したがって、検出器１１ａと１１ｂで検出される方位角成分は、加速電圧、加速電極１３、試料ホルダ１９の電圧条件によって決まる。ここで、検出器１１ａと１１ｂを保持している部材を、光軸を中心にして機械的に回転させる検出器回転モータ６２、あるいは、試料ホルダ１９を光軸に対して機械的に回転させる試料ホルダ回転モータ６３を備えることで二次粒子の検出方位角を回転させる。これらの回転モータを備えることで、実施例１で記載したコイル１２や磁極５５、または、実施例２で記載した回転制御電極５８を配置しなくても、検出方位角を回転させることができる。
【００４７】
以上、本実施例においても、ＶＩＴパターン及びラインパターンの観察・評価の両立が可能な荷電粒子線装置を提供することができる。また、試料の形状に応じて検出する二次粒子の方位角を任意に選択して画像を得ることが可能である。また、回転モータ６２或いは６３を設けることにより、電子光学系を変更することなくＶＩＴパターン及びラインパターンの観察・評価の両立が可能となる。
【実施例４】
【００４８】
第４の実施例について図１６を用いて説明する。なお、実施例１乃至実施例３の何れかに記載され本実施例に未記載の事項は特段の事情がない限り、本実施例にも適用することができる。
【００４９】
図１６は本実施例に係る走査電子顕微鏡の概略図である。図１６に示すように本実施例では、実施例１の図１における検出器１１ａと１１ｂの代わりに、下走査偏向器１１０とコイル１２の間に４分割された環状検出器６４を配置している。なお、電界放出陰極１０１から下走査偏向器１１０までの構成は図１と同じであるため、図１６にはこれらの構造の記載は省略した。環状検出器６４は、マイクロチャンネルプレートや半導体検出器である。試料から放出された二次粒子は、対物レンズ１７と試料１８の間に作られた加速電界により対物レンズ１７の通路内に吸引され、加速電極１３による加速電界と対物レンズ１７の磁界でレンズ作用を受けながら装置の上方に昇っていく。その後、二次粒子２０ａはコイル１２による回転作用を受け、環状検出器６４にて検出される。コイル１２に流す電流量を変化させることで、二次粒子２０ａの回転量は変化し、環状検出器６４の区切られた各部分で検出される二次粒子の方位角成分を制御することができる。なお、本実施例では４分割した環状検出器６４を記載したが、分割数はこれよりも多くても少なくてもよい。
【００５０】
以上、本実施例においても、ＶＩＴパターン及びラインパターンの観察・評価の両立が可能な荷電粒子線装置を提供することができる。また、試料の形状に応じて検出する二次粒子の方位角を任意に選択して画像を得ることが可能である。
【００５１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることが可能である。
【符号の説明】
【００５２】
１０１…電界放出陰極、１０２…引出電極、１０３…放出電子（一次電子線）、１０４…陽極、１０５…集束レンズ、１０６…絞り、１０７…調整つまみ、１０８…反射板、１０９…上走査偏向器、１１０…下走査偏向器、１１ａ，１１ｂ，１１ｃ…検出器、１２…コイル、１３，１３ａ…加速電極、１４…対物レンズコイル、１５…上側磁極、１６…下側磁極、１７…対物レンズ、１８…試料、１９…試料ホルダ、２０ａ，２０ｂ，２０ｃ…二次粒子、２１…電子銃制御部、２２…集束レンズ制御部、２３…走査偏向器制御部、２４…コイル制御部、２５…対物レンズ制御部、２６…加速電極制御部、２７…試料ホルダ制御部、２８…装置全体の制御部、２９…記録装置、３０…モニタ、３１…制御テーブル、３２…一次電子線、３３…検出器、３４…二次粒子、３５…窪みに衝突する二次粒子、３６…信号プロファイル、３７…検出器、３８…二次粒子、３９…窪みに衝突する二次粒子、４０…信号プロファイル、４１…ラインパターン、４２ａ，４２ｂ…検出器、４３…傾いたのラインパターン、４４ａ，４４ｂ…検出器、４５ａ，４５ｂ，４５ｃ，４５ｄ…４５°回転させて配置した４台の検出器、４６ａ，４６ｂ，４６ｃ，４６ｄ…ラインの延在方向及びそれに直交する方向に配置した４台の検出器、４７ａ，４７ｂ，４７ｃ，４７ｄ…４５°回転させて配置した４台の検出器、４８ａ，４８ｂ，４８ｃ，４８ｄ…４５°、１３５°、２２５°、３１５°の方向に放出された二次粒子、４９ａ，４９ｂ，４９ｃ，４９ｄ…０°、９０°、１８０°、２７０°の方向に放出された二次粒子、５０…磁気シールド、５１…反射電極、５２ａ，５２ｂ，５２ｃ，５２ｄ…陰影画像、５３…スライダー、５４…角度指定ボックス、５５…磁極、５６…方位角制御電極、５７…シールド電極、５８…回転制御電極、５９…回転制御電極制御部、６０…中心穴、６１…メッシュ、６２…検出器回転モータ、６３…試料ホルダ回転モータ、６４…環状検出器。
【図１】
0006727024.tif 000002
【図２Ａ】
0006727024.tif 000003
【図２Ｂ】
0006727024.tif 000004
【図３Ａ】
0006727024.tif 000005
【図３Ｂ】
0006727024.tif 000006
【図４Ａ】
0006727024.tif 000007
【図４Ｂ】
0006727024.tif 000008
【図５】
0006727024.tif 000009
【図６Ａ】
0006727024.tif 000010
【図６Ｂ】
0006727024.tif 000011
【図６Ｃ】
0006727024.tif 000012
【図６Ｄ】
0006727024.tif 000013
【図７】
0006727024.tif 000014
【図８】
0006727024.tif 000015
【図９】
0006727024.tif 000016
【図１０】
0006727024.tif 000017
【図１１】
0006727024.tif 000018
【図１２Ａ】
0006727024.tif 000019
【図１２Ｂ】
0006727024.tif 000020
【図１３】
0006727024.tif 000021
【図１４】
0006727024.tif 000022
【図１５】
0006727024.tif 000023
【図１６】
0006727024.tif 000024